(57)【要約】【課題】外部入力画像が投写されている状態で記録媒体のイジェクトを行う際に、投写される画像光によって眩しさを感じてしまうことを抑制可能なプロジェクター及びその制御方法を提供する。【解決手段】外部入力画像が投写されている状態で、本体操作部２２又は操作信号受信部２４がイジェクトキーの操作を検出すると、制御部２０は、ＯＳＤ処理部３５に指示をして、ＤＶＤメディアＭをイジェクトする旨と、それに伴って外部入力画像の投写が中断される旨とをユーザーに事前に報知する。その後、制御部２０は、カバー駆動部４０に指示をしてレンズカバー４を閉じさせる。つまり、開状態から閉状態に切り替えさせて、画像光の投写を遮らせる。そして、制御部２０は、ＤＶＤ再生部２７に指示をして、メディア搬送部２９にＤＶＤメディアＭをイジェクトさせる。【選択図】図２
2011112667.tif 000002
【特許請求の範囲】
【請求項１】
記録媒体に記録されている情報を読み出して第１の画像情報を出力する記録媒体再生部と、
前記第１の画像情報とは異なる第２の画像情報が入力される画像情報入力部と、
光源と、
前記光源から射出された光を、前記第１の画像情報又は前記第２の画像情報に基づいて変調して画像光を形成する光変調装置と、
前記光変調装置で形成された前記画像光を投写する投写光学系と、
前記投写光学系から投写される前記画像光を通すための開口部を有する筐体と、
前記開口部を遮蔽可能なカバー部材と、
前記カバー部材を駆動するカバー駆動部と、
前記開口部と同一方向を向いた面に設けられ、前記記録媒体のロードとイジェクトとを行うための記録媒体交換部と、
前記記録媒体を搬送して、前記記録媒体再生部へのロード及び前記記録媒体再生部からのイジェクトを行う記録媒体搬送部と、
前記記録媒体をイジェクトするための排出操作を検出する排出操作検出部と、
前記第２の画像情報に基づく画像光を前記投写光学系から投写している状態で、前記排出操作検出部が前記排出操作を検出した場合に、前記記録媒体搬送部に前記記録媒体をイジェクトさせるとともに、前記カバー駆動部に前記カバー部材を駆動させて前記開口部を遮蔽させる制御部と、
を備えたことを特徴とするプロジェクター。
【請求項２】
請求項１に記載のプロジェクターであって、
前記第２の画像情報に基づく画像光を前記投写光学系から投写している状態で、前記排出操作検出部が前記排出操作を検出した場合に、前記開口部の遮蔽によって前記画像光の投写が中断することを事前に報知する報知部をさらに備えたことを特徴とするプロジェクター。
【請求項３】
請求項１又は２に記載のプロジェクターであって、
前記記録媒体交換部に前記記録媒体があるか否かを検知する記録媒体検知部をさらに備え、
前記制御部は、前記記録媒体搬送部によって前記記録媒体がイジェクトされてから所定時間が経過するまでに、前記記録媒体交換部に前記記録媒体がないことを前記記録媒体検知部が検知した場合に、前記カバー駆動部に前記カバー部材を駆動させて、前記開口部を開放させることを特徴とするプロジェクター。
【請求項４】
請求項３に記載のプロジェクターであって、
前記制御部は、前記記録媒体搬送部によって前記記録媒体がイジェクトされてから所定時間が経過した後も、前記記録媒体交換部に前記記録媒体があることを前記記録媒体検知部が検知した場合には、前記記録媒体搬送部を制御して、前記記録媒体を前記記録媒体再生部へロードさせることを特徴とするプロジェクター。
【請求項５】
請求項１〜４のいずれか一項に記載のプロジェクターであって、
前記光源の輝度を調整する光源制御部をさらに備え、
前記制御部は、前記第２の画像情報に基づく画像光を前記投写光学系から投写している状態で、前記排出操作検出部が前記排出操作を検出した場合に、前記光源制御部に前記光源の輝度を低減させることを特徴とするプロジェクター。
【請求項６】
記録媒体に記録されている情報を読み出して第１の画像情報を出力する記録媒体再生部と、前記第１の画像情報とは異なる第２の画像情報が入力される画像情報入力部と、光源と、前記光源から射出された光を前記第１の画像情報又は前記第２の画像情報に基づいて変調して画像光を形成する光変調装置と、前記光変調装置で形成された前記画像光を投写する投写光学系と、前記投写光学系から投写される前記画像光を通すための開口部を有する筐体と、前記開口部を遮蔽可能なカバー部材と、前記カバー部材を駆動するカバー駆動部と、前記開口部と同一方向を向いた面に設けられ、前記記録媒体のロードとイジェクトとを行うための記録媒体交換部と、前記記録媒体を搬送して、前記記録媒体再生部へのロード及び前記記録媒体再生部からのイジェクトを行う記録媒体搬送部と、前記記録媒体をイジェクトするための排出操作を検出する排出操作検出部と、を備えたプロジェクターの制御方法であって、
前記第２の画像情報に基づく画像光を前記投写光学系から投写している状態で、前記排出操作検出部が前記排出操作を検出する排出操作検出ステップと、
前記排出操作検出ステップの後で、前記記録媒体搬送部に前記記録媒体をイジェクトさせる記録媒体排出ステップと、
前記排出操作検出ステップの後で、前記カバー駆動部が前記カバー部材を駆動して前記開口部を遮蔽するカバー閉塞ステップと、
を備えたことを特徴とするプロジェクターの制御方法。
【発明の詳細な説明】
【技術分野】
【０００１】
本発明は、記録媒体に記録されている情報を再生する記録媒体再生部を備えたプロジェクター及びその制御方法に関する。
【背景技術】
【０００２】
画像光を投写するプロジェクターにおいて、ＤＶＤ（Digital Versatile Disc）やブルーレイディスク等の記録媒体から画像情報を読み出して再生する画像再生装置を一体的に備えたものが知られている（例えば、特許文献１参照）。このようなプロジェクターを用いれば、外部の画像再生装置を接続することなく、記録媒体に記録されている画像情報に基づく画像（再生画像）を容易に鑑賞することが可能となる。また、特許文献１に記載のプロジェクターは、外部の画像再生装置を接続するための入力端子（コネクター端子）も備えており、再生画像のみならず、外部の画像再生装置から入力される画像情報に基づく画像（外部入力画像）をも投写可能になっている。
【先行技術文献】
【特許文献】
【０００３】
【特許文献１】特開２００９−４７８２８号公報
【発明の概要】
【発明が解決しようとする課題】
【０００４】
上記のようなプロジェクターにおいて、画像光が投写される投写レンズと、記録媒体の挿入や取り出しを行うための記録媒体交換部（ＤＶＤ挿入部）とが、同一方向を向いて備わっている場合には、記録媒体の交換時に投写レンズを直視してしまい、激しい眩しさを感じてしまう恐れがある。このため、再生画像の鑑賞が終わって記録媒体を取り出す際には、光源を消灯させるための操作や、投写される画像光をカバー部材等で遮る作業を行った後に取り出すことが望ましい。しかしながら、再生画像に引き続いて外部入力画像を鑑賞する場合において、外部入力画像の投写中に記録媒体を排出させる場合には、画像光が投写されたままの状態であることから、眩しさを防ぎ難い状況となる。
【課題を解決するための手段】
【０００５】
本発明は、上述の課題の少なくとも一部を解決するためになされたものであり、以下の形態又は適用例として実現することが可能である。
【０００６】
［適用例１］本適用例に係るプロジェクターは、記録媒体に記録されている情報を読み出して第１の画像情報を出力する記録媒体再生部と、前記第１の画像情報とは異なる第２の画像情報が入力される画像情報入力部と、光源と、前記光源から射出された光を、前記第１の画像情報又は前記第２の画像情報に基づいて変調して画像光を形成する光変調装置と、前記光変調装置で形成された前記画像光を投写する投写光学系と、前記投写光学系から投写される前記画像光を通すための開口部を有する筐体と、前記開口部を遮蔽可能なカバー部材と、前記カバー部材を駆動するカバー駆動部と、前記開口部と同一方向を向いた面に設けられ、前記記録媒体のロードとイジェクトとを行うための記録媒体交換部と、前記記録媒体を搬送して、前記記録媒体再生部へのロード及び前記記録媒体再生部からのイジェクトを行う記録媒体搬送部と、前記記録媒体をイジェクトするための排出操作を検出する排出操作検出部と、前記第２の画像情報に基づく画像光を前記投写光学系から投写している状態で、前記排出操作検出部が前記排出操作を検出した場合に、前記記録媒体搬送部に前記記録媒体をイジェクトさせるとともに、前記カバー駆動部に前記カバー部材を駆動させて前記開口部を遮蔽させる制御部と、を備えたことを特徴とする。
【０００７】
このプロジェクターによれば、画像情報入力部に入力される第２の画像情報に基づく画像光（外部入力画像）を投写している状態で、記録媒体をイジェクトするための排出操作が検出された場合に、制御部は、記録媒体をイジェクトさせるとともに、カバー駆動部にカバー部材を駆動させて、画像光を通すための開口部を遮蔽させている。このため、外部入力画像の投写中に記録媒体を取り出そうとしているユーザーが、投写光学系から投写される画像光によって眩しさを感じてしまうことが抑制される。
【０００８】
［適用例２］上記適用例に係るプロジェクターにおいて、前記第２の画像情報に基づく画像光を前記投写光学系から投写している状態で、前記排出操作検出部が前記排出操作を検出した場合に、前記開口部の遮蔽によって前記画像光の投写が中断することを事前に報知する報知部をさらに備えることが望ましい。
【０００９】
このプロジェクターによれば、開口部の遮蔽によって外部入力画像の投写が中断することを、報知部が事前に報知するため、外部入力画像を見ているユーザーを驚かせずに済む。
【００１０】
［適用例３］上記適用例に係るプロジェクターにおいて、前記記録媒体交換部に前記記録媒体があるか否かを検知する記録媒体検知部をさらに備え、前記制御部は、前記記録媒体搬送部によって前記記録媒体がイジェクトされてから所定時間が経過するまでに、前記記録媒体交換部に前記記録媒体がないことを前記記録媒体検知部が検知した場合に、前記カバー駆動部に前記カバー部材を駆動させて、前記開口部を開放させることが望ましい。
【００１１】
このプロジェクターによれば、イジェクトされた記録媒体が、所定時間内にユーザーによって取り外された場合に、開口部を開放させるため、外部入力画像の投写を容易に再開することが可能となる。
【００１２】
［適用例４］上記適用例に係るプロジェクターにおいて、前記制御部は、前記記録媒体搬送部によって前記記録媒体がイジェクトされてから所定時間が経過した後も、前記記録媒体交換部に前記記録媒体があることを前記記録媒体検知部が検知した場合には、前記記録媒体搬送部を制御して、前記記録媒体を前記記録媒体再生部へロードさせることが望ましい。
【００１３】
このプロジェクターによれば、排出された記録媒体が所定時間取り外されなかった場合に、記録媒体を記録媒体再生部へロードさせるため、記録媒体が記録媒体交換部からイジェクトされたままの状態で放置されることがなくなり、記録媒体を保護することが可能となる。
【００１４】
［適用例５］上記適用例に係るプロジェクターにおいて、前記光源の輝度を調整する光源制御部をさらに備え、前記制御部は、前記第２の画像情報に基づく画像光を前記投写光学系から投写している状態で、前記排出操作検出部が前記排出操作を検出した場合に、前記光源制御部に前記光源の輝度を低減させることが望ましい。
【００１５】
このプロジェクターによれば、記録媒体をイジェクトするための排出操作が検出された場合に、制御部は、光源の輝度を低減させるため、記録媒体をイジェクトする際の消費電力を抑制することが可能となる。
【００１６】
［適用例６］本適用例に係るプロジェクターの制御方法は、記録媒体に記録されている情報を読み出して第１の画像情報を出力する記録媒体再生部と、前記第１の画像情報とは異なる第２の画像情報が入力される画像情報入力部と、光源と、前記光源から射出された光を前記第１の画像情報又は前記第２の画像情報に基づいて変調して画像光を形成する光変調装置と、前記光変調装置で形成された前記画像光を投写する投写光学系と、前記投写光学系から投写される前記画像光を通すための開口部を有する筐体と、前記開口部を遮蔽可能なカバー部材と、前記カバー部材を駆動するカバー駆動部と、前記開口部と同一方向を向いた面に設けられ、前記記録媒体のロードとイジェクトとを行うための記録媒体交換部と、前記記録媒体を搬送して、前記記録媒体再生部へのロード及び前記記録媒体再生部からのイジェクトを行う記録媒体搬送部と、前記記録媒体をイジェクトするための排出操作を検出する排出操作検出部と、を備えたプロジェクターの制御方法であって、前記第２の画像情報に基づく画像光を前記投写光学系から投写している状態で、前記排出操作検出部が前記排出操作を検出する排出操作検出ステップと、前記排出操作検出ステップの後で、前記記録媒体搬送部に前記記録媒体をイジェクトさせる記録媒体排出ステップと、前記排出操作検出ステップの後で、前記カバー駆動部が前記カバー部材を駆動して前記開口部を遮蔽するカバー閉塞ステップと、を備えたことを特徴とする。
【００１７】
このプロジェクターの制御方法によれば、画像情報入力部に入力される第２の画像情報に基づく画像光（外部入力画像）を投写している状態で、記録媒体をイジェクトするための排出操作が検出された場合に、記録媒体をイジェクトさせるとともに、カバー駆動部にカバー部材を駆動させて、画像光を通すための開口部を遮蔽させている。このため、外部入力画像の投写中に記録媒体を取り出そうとしているユーザーが、投写光学系から投写される画像光によって眩しさを感じてしまうことが抑制される。
【００１８】
また、上述したプロジェクター及びその制御方法がプロジェクターに備えられたコンピューターを用いて構築されている場合には、上記形態及び上記適用例は、その機能を実現するためのプログラム、或いは当該プログラムを前記コンピューターで読み取り可能に記録した記録媒体等の態様で構成することも可能である。記録媒体としては、フレキシブルディスクやハードディスク、ＣＤやＤＶＤ等の光ディスク、光磁気ディスク、不揮発性の半導体メモリーを搭載したメモリーカードやＵＳＢメモリー、プロジェクターの内部記憶装置（ＲＡＭやＲＯＭ等の半導体メモリー）等、前記コンピューターが読み取り可能な種々の媒体を利用することができる。
【図面の簡単な説明】
【００１９】
【図１】（ａ）、（ｂ）は、プロジェクターの斜視図。
【図２】プロジェクターの回路構成を示すブロック図。
【図３】外部入力画像が投写されている状態でイジェクトキーが操作された場合のプロジェクターの動作を示すフローチャート。
【図４】メッセージ画像を示す図。
【図５】（ａ）、（ｂ）は、変形例に係るプロジェクターの斜視図。
【発明を実施するための形態】
【００２０】
以下、本実施形態のプロジェクターについて、図面を参照して説明する。本実施形態のプロジェクターは、ＤＶＤ（Digital Versatile Disc）を再生可能なＤＶＤ再生部を備えており、ＤＶＤメディアに記録されている画像情報に基づく画像（画像光）を投写することができる。
【００２１】
図１（ａ）、（ｂ）は、本実施形態のプロジェクターの斜視図である。
図１（ａ）、（ｂ）に示すように、プロジェクター１は、外装を構成する筐体２によって装置本体が覆われた構成を有している。プロジェクター１は、外部のスクリーン等に画像（画像光）を投写する投写レンズ１３を有しており、筐体２の前面２ｆには、投写レンズ１３を露出させて、外部に画像光を通すための開口部３が形成されている。
【００２２】
開口部３には、カバー部材としてのレンズカバー４が開閉可能に備えられている。レンズカバー４は、電動でスライド移動ができるようになっており、レンズカバー４を閉じて開口部３を閉塞することによって、投写レンズ１３の射出面を保護することができる。また、レンズカバー４を開いて開口部３を開放させれば、投写レンズ１３が露出し、画像光を筐体２の外部に投写することが可能となる。
【００２３】
このレンズカバー４は、画像光の投写を遮る目的にも用いられ、投写レンズ１３から画像光が投写されている状態でレンズカバー４が閉じられると、開口部３は遮蔽され、外部にほとんど光が射出されない状態となる。なお、レンズカバー４は、完全に光を遮る構成である必要はなく、外部へ射出される光の明るさを低減できるものであればよい。
【００２４】
開口部３の下側には、記録媒体であるＤＶＤメディアＭを挿入したり取り出したりするためのディスクスロット５が設けられている。言い替えれば、ディスクスロット５は、ＤＶＤメディアＭの取り込み（ロード）及び排出（イジェクト）を行うためのものであり、投写レンズ１３が露出する面、即ち開口部３を有する面（前面２ｆ）と同一面に備えられている。また、筐体２の前面２ｆには、リモコン２３から送信される操作信号を受信するための操作信号受信部２４も配置されている。
【００２５】
筐体２には、複数の操作キー（操作ボタン）を備えて構成される本体操作部２２が設けられており、プロジェクター１に対して各種指示を行うことが可能になっている。本体操作部２２を構成する複数の操作キーのうち、ディスクスロット５からＤＶＤメディアＭをイジェクトするための操作キー（イジェクトキー５０）は、筐体２の前面２ｆのディスクスロット５の近傍に配置されており、それ以外の操作キーは、筐体２の上面２ｔに配置されている。また、リモコン２３にも、本体操作部２２と同様、プロジェクター１に対して各種指示を行うための複数の操作キーが備えられており、プロジェクター１を遠隔操作することが可能になっている。
【００２６】
筐体２の背面２ｒには、電源が入力される電源端子３７や、外部の画像出力装置Ｃ（図２参照）から画像情報が入力される入力端子２５等が配設されている。
【００２７】
図２は、プロジェクターの回路構成を示すブロック図である。
図２に示すように、プロジェクター１は、画像投写部１０、制御部２０、記憶部２１、本体操作部２２、リモコン２３、操作信号受信部２４、入力端子２５、画像情報変換部２６、ＤＶＤ再生部２７、入力選択部３３、画像処理部３４、ＯＳＤ処理部３５、液晶駆動部３６、電源端子３７、電源回路３８、光源制御部３９、カバー駆動部４０等を備えており、リモコン２３を除く各構成要素は、筐体２（図１参照）の内部に収容されている。
【００２８】
画像投写部１０は、光源としての光源装置１１、光変調装置としての３つの液晶パネル１２Ｒ，１２Ｇ，１２Ｂ、投写光学系としての投写レンズ１３等で構成されている。画像投写部１０は、画像表示部に相当するものであり、光源装置１１から射出された光を、液晶パネル１２Ｒ，１２Ｇ，１２Ｂで変調して画像（画像光）を形成し、この画像を投写レンズ１３から投写して外部のスクリーンＳＣ等に表示する。
【００２９】
光源装置１１は、超高圧水銀ランプやメタルハライドランプ等からなる放電型の光源ランプ１１ａと、光源ランプ１１ａが放射した光を液晶パネル１２Ｒ，１２Ｇ，１２Ｂ側に反射するリフレクター１１ｂとを含んで構成されている。光源装置１１から射出された光は、図示しないインテグレーター光学系によって輝度分布が略均一な光に変換され、図示しない色分離光学系によって光の３原色である赤色（Ｒ）、緑色（Ｇ）、青色（Ｂ）の各色光成分に分離された後、それぞれ液晶パネル１２Ｒ，１２Ｇ，１２Ｂに入射する。
【００３０】
液晶パネル１２Ｒ，１２Ｇ，１２Ｂは、液晶が封入された一対の透明基板等によって構成される。液晶パネル１２Ｒ，１２Ｇ，１２Ｂには、マトリクス状に配列された複数の画素（図示せず）が形成されており、液晶に対して画素毎に駆動電圧を印加可能になっている。液晶駆動部３６が、入力される画像情報に応じた駆動電圧を各画素に印加すると、各画素は、画像情報に応じた光透過率に設定される。このため、光源装置１１から射出された光は、この液晶パネル１２Ｒ，１２Ｇ，１２Ｂを透過することによって変調され、画像情報に応じた画像光が色光毎に形成される。形成された各色の画像光は、図示しない色合成光学系によって画素毎に合成されてカラーの画像光となった後、投写レンズ１３から拡大投写される。
【００３１】
制御部２０は、ＣＰＵ（Central Processing Unit）や、各種データ等の一時記憶に用いられるＲＡＭ（Random Access Memory）等を備え、記憶部２１に記憶されている制御プログラムに従って動作することによりプロジェクター１の動作を統括制御する。つまり、制御部２０は、記憶部２１とともにコンピューターとして機能する。
【００３２】
記憶部２１は、マスクＲＯＭ（Read Only Memory）、フラッシュメモリー、又はＦｅＲＡＭ（Ferroelectric RAM：強誘電体メモリー）等の不揮発性のメモリーにより構成されている。記憶部２１には、プロジェクター１の動作を制御するための制御プログラムや、プロジェクター１の動作条件等を規定する各種設定データ等が記憶されている。
【００３３】
本体操作部２２及びリモコン２３は、上述したように複数の操作キーを備えており、ユーザーの入力操作（操作キーの操作）を検出する。複数の操作キーには、上述したイジェクトキー５０の他に、電源のオンとオフとを切り替えるための電源キーや、入力ソースを切り替えるための入力切替キー、ＤＶＤメディアＭの再生を開始させるための再生キー、ＤＶＤメディアＭの再生を停止させるための停止キー等が含まれる。ユーザーが本体操作部２２の操作キーを操作すると、本体操作部２２は、操作された操作キーを検出し、この操作キーに応じた操作信号を制御部２０に出力する。また、ユーザーがリモコン２３の操作キーを操作すると、リモコン２３は、操作された操作キーに応じた赤外線の操作信号を発し、操作信号受信部２４がこれを検出して制御部２０に伝達する。
【００３４】
入力端子２５は、プロジェクター１の外部から画像情報が入力される端子であり、画像情報入力部に相当するものである。具体的には、入力端子２５には、パーソナルコンピューターやビデオ再生装置等、外部の画像出力装置Ｃとケーブル（図示せず）を介して接続され、画像出力装置Ｃから各種形式の画像情報が入力される。入力端子２５に入力された画像情報は、画像情報変換部２６に供給される。
【００３５】
画像情報変換部２６は、入力端子２５から入力された画像情報に対してＡ／Ｄ変換等の変換処理を行って、処理後の画像情報を入力選択部３３に出力する。
【００３６】
ＤＶＤ再生部２７は、筐体２の内部において、ディスクスロット５の近傍に配設されており、記録媒体（ＤＶＤメディアＭ）に記録された情報を読み出す記録媒体再生部に相当するものである。ＤＶＤ再生部２７は、挿入センサー２８、メディア搬送部２９、装着センサー３０、データ読取部３１、及びデータ処理部３２等を含んで構成されている。
【００３７】
挿入センサー２８は、記録媒体検知部に相当するものであり、ディスクスロット５に近接して配置されている。そして、ＤＶＤメディアＭの一部がディスクスロット５に挿入されたことを検知して制御部２０に通知する。また、挿入センサー２８は、イジェクトされたＤＶＤメディアＭがディスクスロット５から取り外されたことを検知することもできる。つまり、挿入センサー２８は、ディスクスロット５にＤＶＤメディアＭがあるか否かを検知する。
【００３８】
メディア搬送部２９は、ＤＶＤメディアＭを搬送するための搬送ローラー、及び搬送ローラーを回転駆動する駆動モーター（いずれも図示せず）等によって構成される。メディア搬送部２９は、記録媒体搬送部に相当するものであり、制御部２０の指示に基づいて、ＤＶＤ再生部２７内におけるＤＶＤメディアＭの搬送を行う。具体的には、ユーザーがＤＶＤメディアＭの一部を外部からディスクスロット５に挿入し、挿入センサー２８がこの挿入を検出すると、制御部２０は、メディア搬送部２９に指示をして、ＤＶＤメディアＭをＤＶＤ再生部２７の内部にロードさせ、図示しないターンテーブル上に装着させる。また、ユーザーによりイジェクトキー５０が操作されると、制御部２０は、メディア搬送部２９に指示をして、ターンテーブルからＤＶＤメディアＭを離脱させ、ＤＶＤ再生部２７からディスクスロット５の外部に向けてＤＶＤメディアＭをイジェクトさせる。
【００３９】
装着センサー３０は、ターンテーブルの近傍に配置され、ターンテーブルにＤＶＤメディアＭが装着されていることを検知して制御部２０に通知する。
【００４０】
データ読取部３１は、制御部２０の指示に基づいて、ターンテーブル上に装着されたＤＶＤメディアＭをスピンドルモーター（図示せず）で回転させるとともに、光ピックアップ（図示せず）を走査して、ＤＶＤメディアＭに記録されているデータストリームを順次読み取る。このデータストリームは、符号化された画像情報や音声情報が多重化された情報であり、データ読取部３１によって読み取られたデータストリームは、データ処理部３２に順次出力される。
【００４１】
データ処理部３２は、デマルチプレクサーやデコーダー等で構成され、制御部２０の指示に基づいて、データ読取部３１から入力されるデータストリームを画像情報と音声情報とに分離する処理や、分離した画像情報及び音声情報をデコード（復号化）する処理等を行う。データ処理部３２は、復号化された画像情報を入力選択部３３に出力し、復号化された音声情報を図示しない音声出力手段に出力する。なお、ＤＶＤ再生部２７が、ＤＶＤメディアＭからデータストリームを読み取って、このデータストリームに基づく画像情報を出力することを、本明細書では「画像情報を再生する」又は「ＤＶＤメディアＭを再生する」と表記する。
【００４２】
挿入センサー２８及び装着センサー３０は、例えば、メカニカルスイッチ、光センサー、磁気センサー等の各種検出手段を用いて構成することができる。また、装着センサー３０に関しては、上記光ピックアップが受光する反射光の信号レベルによってＤＶＤメディアＭの装着の有無を検出する態様とすることも可能である。
【００４３】
入力選択部３３は、入力端子２５から画像情報変換部２６を経て入力される画像情報（外部入力画像情報）と、ＤＶＤ再生部２７から入力される画像情報（ＤＶＤ再生画像情報）のいずれか一方を、制御部２０の指示に基づいて選択し、選択した画像情報を画像処理部３４に出力する。ユーザーが、本体操作部２２又はリモコン２３に備わる入力切替キーを操作して所望の画像情報を指定すると、制御部２０は、指定された画像情報が画像処理部３４に出力されるよう、入力選択部３３に指示をする。つまり、入力選択部３３は、外部入力画像情報に基づく画像（外部入力画像）を投写（表示）する状態と、ＤＶＤ再生部２７によって再生されたＤＶＤ再生画像情報に基づく画像（ＤＶＤ再生画像）を投写（表示）する状態とを、ユーザーの入力操作に応じて切り替えることができる。
【００４４】
画像処理部３４は、入力選択部３３から入力される画像情報を、液晶パネル１２Ｒ，１２Ｇ，１２Ｂの各画素の階調を表す画像情報、即ち各画素に印加する駆動電圧を規定するための画像情報に変換する。さらに、画像処理部３４は、制御部２０の指示に基づいて、変換した画像情報に対して、明るさ、コントラスト、シャープネス、色合い等を調整するための画質調整処理等を行う。画像処理部３４で画質調整等がなされた画像情報は、ＯＳＤ処理部３５に出力される。
【００４５】
また、画像処理部３４は、制御部２０の指示に基づいて、所定の基準画像（例えば、黒色無地の画像等）を投写するための画像情報（基準画像情報）を出力可能になっている。制御部２０が基準画像の投写を指示すると、画像処理部３４は、入力選択部３３から入力される画像情報の内容に拘わらず、指示に応じた基準画像情報を生成してＯＳＤ処理部３５に出力する。
【００４６】
ＯＳＤ処理部３５は、制御部２０の指示に基づいて、投写すべき画像（投写画像）上に、メニュー画像やメッセージ画像等のＯＳＤ（オンスクリーンディスプレイ）画像を重畳して表示するための処理を行う。ＯＳＤ処理部３５は、図示しないＯＳＤメモリーを備えており、ＯＳＤ画像を形成するための図形やフォント等を表すＯＳＤ画像情報を記憶している。制御部２０が、ＯＳＤ画像の重畳表示を指示すると、ＯＳＤ処理部３５は、必要なＯＳＤ画像情報をＯＳＤメモリーから読み出し、投写画像上の所定の位置にＯＳＤ画像が重畳されるように、画像処理部３４から入力される画像情報にこのＯＳＤ画像情報を合成する。ＯＳＤ画像情報が合成された画像情報は、液晶駆動部３６に出力される。なお、制御部２０からＯＳＤ画像を重畳する旨の指示がない場合には、ＯＳＤ処理部３５は、画像処理部３４から入力される画像情報を、そのまま液晶駆動部３６に出力する。
【００４７】
液晶駆動部３６は、ＯＳＤ処理部３５から入力される画像情報に従って液晶パネル１２Ｒ，１２Ｇ，１２Ｂを駆動し、液晶パネル１２Ｒ，１２Ｇ，１２Ｂに、画像情報に応じた画像光を形成させる。これにより、画像情報に基づく画像光が投写レンズ１３から投写される。
【００４８】
電源回路３８には、電源端子３７を介してＡＣ１００Ｖ等の商用電源が外部から供給される。電源回路３８は、商用電源（交流電源）を所定の電圧の直流電源に変換して、プロジェクター１の各部に電力を供給する（供給経路については図示せず）。また、電源回路３８は、制御部２０の指示に基づいて、画像の投写に必要な電力（動作電力）を各部に供給する状態（以降、「電源オン状態」と呼ぶ。）と、動作電力の供給を停止して、電源をオンにするための電源キーの操作を待機する状態（以降、「スタンバイ状態」又は「電源オフ状態」と呼ぶ。）とを切り替えることができる。
【００４９】
光源制御部３９は、制御部２０の指示に基づいて、光源装置１１に対する電力の供給と停止とを制御し、光源装置１１の点灯及び消灯を切り替える。また、光源制御部３９は、光源装置１１の輝度を調整可能になっており、相対的に明るい「高輝度」と、相対的に暗い「低輝度」の２段階に切り替えることができる。
【００５０】
カバー駆動部４０は、制御部２０の指示に基づいてレンズカバー４の開閉動作を駆動するものであり、レンズカバー４を閉じて開口部３を遮蔽する閉状態と、レンズカバー４を開いて開口部３を開放させる開状態とを切り替えることができる。レンズカバー４を開閉させる構成としては、レンズカバー４にラックを形成し、このラックに噛合するピニオンを回転駆動する構成にしてもよいし、往復スライダークランク機構を利用した構成等、他の構成を採用するようにしてもよい。
【００５１】
次に、本実施形態のプロジェクター１の動作について説明する。
プロジェクター１に商用電源が供給されると、電源回路３８は、制御部２０、記憶部２１、本体操作部２２、操作信号受信部２４に電力（スタンバイ電力）の供給を行い、制御部２０は、この電力供給を受けて、制御プログラムに従った動作を開始する。商用電源が供給された直後には、プロジェクター１は、スタンバイ状態であり、この状態では、制御部２０は、光源装置１１を消灯させた状態、且つレンズカバー４を閉じた状態で、本体操作部２２又はリモコン２３に備わる電源キーの操作を待機する。
【００５２】
そして、ユーザーによって電源キーが操作されると、制御部２０は、光源装置１１を点灯させるとともに、レンズカバー４を開いて、入力選択部３３で選択されている画像情報に基づく画像の投写を開始する。入力選択部３３で選択されている画像情報が入力されていない場合には、制御部２０は、入力選択部３３に他の画像情報を選択させる。また、いずれの画像情報も入力されていない場合には、制御部２０は、画像処理部３４に指示をして、黒色無地の基準画像を投写させ、画像情報の入力を待機する。
【００５３】
ここで、入力端子２５に外部入力画像情報が入力された場合には、制御部２０は、入力選択部３３に外部入力画像情報を選択させ、外部入力画像の投写を開始する。また、ディスクスロット５にＤＶＤメディアＭが挿入された場合には、制御部２０は、ＤＶＤ再生部２７にＤＶＤメディアＭを再生させるとともに、入力選択部３３にＤＶＤ再生画像情報を選択させ、ＤＶＤ再生画像の投写を開始する。
【００５４】
また、入力選択部３３に外部入力画像情報とＤＶＤ再生画像情報の双方が入力されている場合には、ユーザーは、本体操作部２２又はリモコン２３に備わる入力切替キーを操作することによって、所望の画像情報を選択することができる。このため、ＤＶＤ再生画像を鑑賞した後、入力切替キーで外部入力画像情報を選択すると、ＤＶＤメディアＭがＤＶＤ再生部２７のターンテーブルに装着された状態のまま、外部入力画像が投写される。
【００５５】
ＤＶＤメディアＭがＤＶＤ再生部２７のターンテーブルに装着された状態では、ユーザーは、本体操作部２２又はリモコン２３のイジェクトキー５０を操作することによって、ＤＶＤメディアＭを取り出すことができる。ここで、本実施形態のプロジェクター１は、外部入力画像が投写されている状態でイジェクトキー５０が操作された場合には、ＤＶＤメディアＭを取り出そうとしているユーザーが投写レンズ１３から射出される光を直視してしまうことを抑制するために、レンズカバー４を閉じて開口部３を遮蔽するようになっている。
【００５６】
図３は、外部入力画像が投写されている状態でイジェクトキー５０が操作された場合のプロジェクター１の動作を示すフローチャートである。外部入力画像が投写されている状態において、本体操作部２２又はリモコン２３のイジェクトキー５０がユーザーによって操作されると、制御部２０は、図３に示すフローに従って動作する。
【００５７】
図３に示すように、ステップＳ１０１では、本体操作部２２又は操作信号受信部２４が、イジェクトキー５０の操作を検出して、制御部２０に通知する。そして、ステップＳ１０２では、制御部２０は、ＯＳＤ処理部３５に指示をして、メッセージ画像Ｍｓ（図４参照）を所定時間（例えば、５秒）重畳表示させ、ＤＶＤメディアＭをイジェクトすることとともに、開口部３が遮蔽されること、即ち外部入力画像の投写が中断することをユーザーに事前に報知する。
【００５８】
その後、ステップＳ１０３では、制御部２０は、画像処理部３４に指示をして、それまで出力していた外部入力画像情報の代わりに基準画像情報を出力させ、画像投写部１０から基準画像を投写させる。なお、本実施形態では、基準画像として、黒色無地の画像、即ちすべての画素の光透過率を最小に設定した画像を投写する。
【００５９】
ステップＳ１０４では、制御部２０は、光源制御部３９に指示をして、光源装置１１の輝度を低輝度に切り替えさせる。つまり、光源制御部３９に光源装置１１の輝度を低減させる。なお、イジェクトキー５０が操作される前に既に低輝度に設定されている場合には、本ステップでの輝度の変化はない。
【００６０】
ステップＳ１０５では、制御部２０は、カバー駆動部４０に指示をしてレンズカバー４を閉じさせる。つまり、レンズカバー４で開口部３を遮蔽させて、画像光（基準画像）の投写を遮らせる。
【００６１】
ステップＳ１０６では、制御部２０は、ＤＶＤ再生部２７のメディア搬送部２９に指示をして、ＤＶＤメディアＭをイジェクトさせる。そして、メディア搬送部２９は、この指示を受け、ＤＶＤメディアＭがディスクスロット５から半分ほど露出する状態となるまでＤＶＤメディアＭを搬送する。
【００６２】
ステップＳ１０７では、制御部２０は、挿入センサー２８の検知結果に基づいて、ディスクスロット５にＤＶＤメディアＭがあるか否か、即ちイジェクトしたＤＶＤメディアＭがディスクスロット５から取り外されたか否かを判断する。そして、ＤＶＤメディアＭが取り外された場合にはステップＳ１１０に移行し、取り外されていない場合にはステップＳ１０８に移行する。
【００６３】
ＤＶＤメディアＭが取り外されずにステップＳ１０８に移行した場合には、制御部２０は、ステップＳ１０６でＤＶＤメディアＭをイジェクトしてから所定時間（例えば、２０秒）が経過したか否かを判断する。そして、所定時間が経過していない場合にはステップＳ１０７に戻り、所定時間が経過した場合、即ち所定時間が経過した後もディスクスロット５にＤＶＤメディアＭがある場合にはステップＳ１０９に移行する。
【００６４】
ＤＶＤメディアＭが取り外されずに所定時間が経過してステップＳ１０９に移行した場合には、制御部２０は、ＤＶＤ再生部２７のメディア搬送部２９に指示をして、ＤＶＤメディアＭを再びＤＶＤ再生部２７の内部にロードさせてターンテーブル上に装着させた後、ステップＳ１１１に移行する。
【００６５】
一方、ＤＶＤメディアＭが取り外されてステップＳ１１０に移行した場合には、制御部２０は、レンズカバー４を閉じた状態のままで、さらに所定時間（例えば、３秒）待機する。
【００６６】
ステップＳ１１１では、制御部２０は、カバー駆動部４０に指示をしてレンズカバー４を開かせる。つまり、制御部２０は、開口部３が遮蔽されて画像光の投写が遮られた閉状態から、開口部３が開放されて画像光が外部に投写される開状態に復帰させる。ステップＳ１１２では、制御部２０は、光源制御部３９に指示をして、光源装置１１の輝度を当初の輝度（イジェクトキー５０が操作される前に設定されていた輝度）に復帰させる。そして、ステップＳ１１３では、制御部２０は、画像処理部３４に指示をして、基準画像情報を出力する状態から、外部入力画像情報を出力する状態に復帰させる。つまり、画像投写部１０からの外部入力画像の投写を再開させてフローを終了する。
【００６７】
以上説明したように、本実施形態のプロジェクター１によれば、以下の効果を得ることができる。
【００６８】
（１）本実施形態のプロジェクター１によれば、外部入力画像を投写している状態で、ＤＶＤメディアＭをイジェクトするための操作、即ちイジェクトキー５０の操作が検出された場合に、制御部２０は、ＤＶＤメディアＭをイジェクトさせるとともに、レンズカバー４を閉じることによって、外部に投写される画像光を遮らせている。このため、外部入力画像の投写中にＤＶＤメディアＭを取り出そうとしているユーザーが、投写レンズ１３から投写される画像光によって眩しさを感じてしまうことが抑制される。
【００６９】
（２）本実施形態のプロジェクター１によれば、ＯＳＤ処理部３５がメッセージ画像Ｍｓを表示することによって、外部入力画像の投写が中断すること（途絶えること）を事前にユーザーに報知しているため、外部入力画像を見ているユーザーを驚かせずに済む。
【００７０】
（３）本実施形態のプロジェクター１によれば、ディスクスロット５からイジェクトされたＤＶＤメディアＭが、ユーザーによって取り外された場合に、レンズカバー４を開くようにしているため、外部入力画像の投写を容易に再開することが可能となる。
【００７１】
（４）本実施形態のプロジェクター１によれば、イジェクトされたＤＶＤメディアＭが所定時間取り外されなかった場合に、ＤＶＤメディアＭをＤＶＤ再生部２７の内部に再びロードさせるため、ＤＶＤメディアＭがディスクスロット５からイジェクトされたままの状態で放置されることがなくなり、ＤＶＤメディアＭを保護することが可能となる。
【００７２】
（５）本実施形態のプロジェクター１によれば、イジェクトキー５０の操作が検出された場合に、制御部２０は、光源装置１１の輝度を低減させるため、ＤＶＤメディアＭをイジェクトする際の消費電力を抑制することが可能となる。また、投写レンズ１３から射出される光の量が低減されるため、レンズカバー４に強い光が照射されることによるレンズカバー４の熱的なダメージを抑制することが可能となる。
【００７３】
（６）本実施形態のプロジェクター１によれば、イジェクトキー５０の操作が検出された場合に、黒色無地の画像を基準画像として投写するようにしている。このため、投写レンズ１３から射出される光の量が低減されるため、レンズカバー４に強い光が照射されることによるレンズカバー４の熱的なダメージを抑制することが可能となる。
【００７４】
なお、本実施形態では、ディスクスロット５が記録媒体交換部に相当する。また、ＤＶＤメディアＭをイジェクトするためのイジェクトキー５０の操作が排出操作に相当し、イジェクトキー５０の操作を検出する本体操作部２２、リモコン２３、及び操作信号受信部２４が排出操作検出部に相当する。また、メッセージ画像Ｍｓを重畳表示するＯＳＤ処理部３５が報知部に相当する。また、ＤＶＤ再生部２７から出力されるＤＶＤ再生画像情報が第１の画像情報に相当し、入力端子２５に入力される外部入力画像情報が第２の画像情報に相当する。
【００７５】
（変形例）
また、上記実施形態は、以下のように変更してもよい。
【００７６】
上記実施形態では、ＤＶＤ再生部２７にＤＶＤメディアＭを装着する方式として、ディスクスロット５にＤＶＤメディアＭを直接挿入するスロットイン方式を採用しているが、ＤＶＤ再生部２７は、スロットイン方式に限定されず、例えば、ＤＶＤメディアＭをトレイに載置して搬送するトレイローディング方式を採用してもよい。
トレイローディング方式では、イジェクトキー５０が操作されると、ターンテーブルに装着されているＤＶＤメディアＭは、トレイに載置されて筐体２の外部に排出される。そして、トレイ上のＤＶＤメディアＭを適宜交換した後、再度イジェクトキー５０を操作するか、或いはトレイを押し入れる操作を行うと、新たなＤＶＤメディアＭが載置されたトレイは、筐体２の内部に収容され、ＤＶＤメディアＭはターンテーブルに装着される。このため、トレイローディング方式の場合には、トレイを収容するために筐体２に設けられた開口部が記録媒体交換部に相当し、筐体２内に収容された状態のトレイを引き出すためのイジェクトキー５０の操作が排出操作に相当する。なお、トレイローディング方式では、ＤＶＤメディアＭが装着されていない場合に空のトレイを排出させる操作も排出操作に含めることができる。つまり、ＤＶＤメディアＭの装着の有無に拘らず、トレイを引き出すための操作が行われた場合に、レンズカバー４を閉じるようにすれば、新たなＤＶＤメディアＭを挿入する際にも画像光の投写が遮られることとなり、眩しさが抑制される。
【００７７】
上記実施形態では、筐体２において、開口部３を有する面（投写レンズ１３が露出する面）とディスクスロット５が設けられている面とが同一面になっているが、同一方向を向いた面であれば必ずしも同一面に限られない。例えば、開口部３を有する面と、ディスクスロット５が設けられている面との間に段差があってもよい。また、図５（ａ）、（ｂ）に示すように、筐体２が、ＤＶＤ再生部２７等を収容する第１の筐体２ａと、画像投写部１０等を収容する第２の筐体２ｂとに区分されるとともに、第１の筐体２ａに対して第２の筐体２ｂが回動して、投写方向を変更可能になっている構成にも適用可能である。このような構成であっても、開口部３を有する面と、ディスクスロット５が設けられている面とを同一方向に向けて使用する場合（図５（ａ）参照）には、上記実施形態の効果と同一の効果を得ることができる。また、開口部３を有する面や、ディスクスロット５が設けられる面は、平面である必要はなく、曲面であってもよい。
【００７８】
上記実施形態では、ＤＶＤメディアＭに記録されている情報の読み取りが可能なＤＶＤ再生部２７を備えた構成を示しているが、ＤＶＤ以外の光ディスク（例えば、ブルーレイディスク）、各種半導体メモリー、磁気ディスク、磁気テープ等、他の記録媒体に記録されている情報の読み取りが可能な構成であってもよい。
【００７９】
上記実施形態では、イジェクトキー５０が操作された際に、基準画像として、黒色無地の画像を投写するようにしているが、基準画像は、黒色無地に限られず、他の色の画像や無地以外の画像を用いてもよい。また、上記実施形態では、イジェクトキー５０が操作された際に、光源装置１１の輝度を低減させるようにしているが、必ずしも低減させる必要はない。
【００８０】
上記実施形態では、外部の画像出力装置Ｃから入力端子２５にケーブルを介して画像情報が入力される態様を示したが、この態様に限定されない。例えば、無線ＬＡＮ（Local Area Network）等の無線通信によって画像情報が入力される態様を採用してもよい。
【００８１】
上記実施形態では、光変調装置として、透過型の液晶パネル１２Ｒ，１２Ｇ，１２Ｂを用いているが、反射型の液晶パネル等、反射型の光変調装置を用いることも可能である。また、入射した光の射出方向を、画素としてのマイクロミラー毎に制御することにより、光源から射出した光を変調する微小ミラーアレイデバイス等を用いることもできる。
【符号の説明】
【００８２】
１…プロジェクター、２…筐体、３…開口部、４…レンズカバー、５…ディスクスロット、１０…画像投写部、１１…光源装置、１１ａ…光源ランプ、１１ｂ…リフレクター、１２Ｒ，１２Ｇ，１２Ｂ…液晶パネル、１３…投写レンズ、２０…制御部、２１…記憶部、２２…本体操作部、２３…リモコン、２４…操作信号受信部、２５…入力端子、２６…画像情報変換部、２７…ＤＶＤ再生部、２８…挿入センサー、２９…メディア搬送部、３０…装着センサー、３１…データ読取部、３２…データ処理部、３３…入力選択部、３４…画像処理部、３５…ＯＳＤ処理部、３６…液晶駆動部、３７…電源端子、３８…電源回路、３９…光源制御部、４０…カバー駆動部、５０…イジェクトキー、Ｃ…画像出力装置、Ｍｓ…メッセージ画像、ＳＣ…スクリーン。
【図１】
2011112667.tif 000003
【図２】
2011112667.tif 000004
【図３】
2011112667.tif 000005
【図４】
2011112667.tif 000006
【図５】
2011112667.tif 000007